(57)【要約】【課題】操作先の端末のセキュリティをより強固にすることのできる接続装置等の提供。【解決手段】接続装置は、接続部と処理部とを備える。前記接続部は、インターネット網を介する通信により、第一端末による操作が行われることが想定された第二端末との間のＩＰに基づく情報の流通を可能にし得る。前記処理部は第三端末から送られる送付情報に従い、前記接続部の前記インターネット網への接続に係る、接続処理又は切断処理を行う。【選択図】      図１
2018014548.tif 000002
【特許請求の範囲】
【請求項１】
インターネット網を介する通信により、第一端末による操作が行われることが想定された第二端末との間のＩＰ（Ｉｎｔｅｒｎｅｔ  Ｐｒｏｔｏｃｏｌ）に基づく情報の流通を可能にし得る接続部と、
第三端末から送られた送付情報に従い、前記接続部の前記インターネット網への接続に係る、接続処理又は切断処理を行う、処理部と、
を備える接続装置。
【請求項２】
前記操作が遠隔操作である、請求項１に記載された接続装置。
【請求項３】
前記接続処理又は前記切断処理が前記第三端末による遠隔操作により行われる、請求項１又は請求項２に記載された接続装置。
【請求項４】
前記送付情報が電話回線を介して送られた情報である請求項１乃至請求項３のうちのいずれか一に記載された接続装置。
【請求項５】
前記送付情報がＶｏＩＰ（Ｖｏｉｃｅ  ｏｖｅｒ  Ｉｎｔｅｒｎｅｔ  Ｐｒｏｔｏｃｏｌ）信号に含まれる情報である請求項１乃至請求項４のうちのいずれか一に記載された接続装置。
【請求項６】
前記ＶｏＩＰ信号に含まれる情報が前記ＶｏＩＰ信号に含まれるＤＴＭＦ（Ｄｕａｌ−Ｔｏｎｅ  Ｍｕｌｔｉ−Ｆｒｅｑｕｅｎｃｙ）信号に含まれる情報である、請求項５に記載された接続装置。
【請求項７】
送られた信号を、前記ＶｏＩＰ信号とインターネット信号とに分配するルータ部をさらに備える請求項５又は請求項６に記載された接続装置。
【請求項８】
前記接続部の前記インターネット網への接続が、前記接続部とインターネット用ＢＡＳ（Ｂｒｏａｄｂａｎｄ  Ａｃｃｅｓｓ  Ｓｅｒｖｅｒ）との間の接続である、請求項１乃至請求項７のうちのいずれか一に記載された接続装置。
【請求項９】
前記接続部の前記インターネット網への接続が、ＰＰＰｏＥ（Ｐｏｉｎｔ−ｔｏ−Ｐｏｉｎｔ  Ｐｒｏｔｏｃｏｌ  ｏｖｅｒ  Ｅｔｈｅｒｎｅｔ）接続である、請求項１乃至請求項８のうちのいずれか一に記載された接続装置。
【請求項１０】
インターネット網を介する通信により、第一端末による操作が行われることが想定された第二端末との間のＩＰ（Ｉｎｔｅｒｎｅｔ  Ｐｒｏｔｏｃｏｌ）に基づく情報の流通を可能にし得る部分の、前記インターネット網への接続に係る、接続処理又は切断処理を、第三端末から送られた送付情報に従い行う、接続方法。
【発明の詳細な説明】
【技術分野】
【０００１】
本発明は、通信端末の接続に関する。
【背景技術】
【０００２】
ユーザが第一のＩＰ（Ｉｎｔｅｒｎｅｔ  Ｐｒｏｔｏｃｏｌ）端末を操作することにより第二のＩＰ端末の操作を行う方法が一般的に実施されている。ここで、以下において、「ＩＰ端末」は、ＩＰに基づく通信を行う端末をいう。
【０００３】
例えば、非特許文献１は、ユーザが第一のＩＰ端末により第二のＩＰ端末の遠隔操作を可能にする無料のＰＣ遠隔操作・リモートコントロールソフトを開示する。
【０００４】
なお、本発明に関連して、非特許文献２はＴｈｅ  Ｐｏｉｎｔ−ｔｏ−Ｐｏｉｎｔ  Ｐｒｏｔｏｃｏｌ  Ｏｖｅｒ  Ｅｔｈｅｒｎｅｔ  （ＰＰＰｏＥ）について開示する。また、本発明に関連して、非特許文献３はＴｈｅ  Ｐｏｉｎｔ−ｔｏ−Ｐｏｉｎｔ  Ｐｒｏｔｏｃｏｌについて開示する。ここで、「Ｅｔｈｅｒｎｅｔ」は登録商標である。また、本発明に関連して、特許文献１は、接続装置として必要となるルーティング設定について開示する。
【０００５】
その他、特許文献２は、機器の指定と制御内容とを受け渡されて所定のフレームワーク上のバンドルへ渡し、内部ネットワークに存在する家電のアドレスへ具体的な命令を送出する端末制御バンドルを有するゲートウェイ装置を開示する。
【０００６】
また、特許文献３は、所定のリクエストを外線により着信すると所定時間が経過するまで遅延させて発信元とセッションを確立し、内線から着信すると即時に発信元とセッションを確立する、ファクシミリ装置を開示する。
【０００７】
また、特許文献４は、遠隔データベースと通信しているか否かに拘わらず記録物を再生し、通信が確立されたときに指示データを用いて遠隔データベースにクエリーを行い、ポインタをメモリに供給するように制御する機器を開示する。
【先行技術文献】
【特許文献】
【０００８】
【特許文献１】特開２００１−２５１３６２号公報
【特許文献２】特許第５８９０９１８号公報
【特許文献３】特開２０１５−２１１３４９号公報
【特許文献４】特開２００７−０９５３０６号公報
【非特許文献】
【０００９】
【非特許文献１】”無料ＰＣ遠隔操作・リモートコントロールソフト”、［平成２８年６月２４日検索］インターネット（ｈｔｔｐ：／／ｆｒｅｅｓｏｆｔ−１００．ｃｏｍ／ｐａｓｏｋｏｎ／ｒｅｍｏｔｅ＿ｃｏｎｔｒｏｌ．ｈｔｍｌ）
【非特許文献２】Ｌ．  Ｍａｍａｋｏｓ、Ｋ．  Ｌｉｄｌ、Ｊ．  Ｅｖａｒｔｓ、Ｄ．  Ｃａｒｒｅｌ、Ｄ．  Ｓｉｍｏｎｅ、Ｒ．  Ｗｈｅｅｌｅｒ、”Ａ  Ｍｅｔｈｏｄ  ｆｏｒ  Ｔｒａｎｓｍｉｔｔｉｎｇ  ＰＰＰ  ＯｖｅｒＥｔｈｅｒｎｅｔ  （ＰＰＰｏＥ）、Ｒｅｑｕｅｓｔ  ｆｏｒ  Ｃｏｍｍｅｎｔｓ：  ２５１６、Ｆｅｂｒｕａｒｙ１”、［平成２８年６月２３日検索］インターネット（ｈｔｔｐｓ：／／ｔｏｏｌｓ．ｉｅｔｆ．ｏｒｇ／ｈｔｍｌ／ｒｆｃ２５１６）
【非特許文献３】Ｗ．  Ｓｉｍｐｓｏｎ、Ｎｅｔｗｏｒｋ  Ｗｏｒｋｉｎｇ  Ｇｒｏｕｐ”  Ｔｈｅ  Ｐｏｉｎｔ−ｔｏ−Ｐｏｉｎｔ  Ｐｒｏｔｏｃｏｌ（ＰＰＰ）、Ｒｅｑｕｅｓｔ  ｆｏｒ  Ｃｏｍｍｅｎｔｓ：１６６１、Ｊｕｌｙ  １９９４”、［平成２８年６月２４日検索］インターネット（ｈｔｔｐ：／／ｗｗｗ．ｒｆｃ−ｂａｓｅ．ｏｒｇ／ｔｘｔ／ｒｆｃ−１６６１．ｔｘｔ）
【発明の概要】
【発明が解決しようとする課題】
【００１０】
しかしながら、［背景技術］の項で説明した一般的に実施されている方法は、第一のＩＰ端末から第二のＩＰ端末への通信経路が予め確立され、第二のＩＰ端末は、インターネットに常時接続されていることが前提となっている。第二のＩＰ端末はインターネットに常時接続されているため、第二のＩＰ端末は、常時インターネットからのウイルス等の不正な情報の流入の危険性にさらされている。そのため、前述の一般的に実施されている方法は、第二のＩＰ端末のセキュリティが強固であるとは言えない。第二のＩＰ端末セキュリティをより強固にするためには、第一のＩＰ端末から第二のＩＰ端末を操作する時のみ、第二のＩＰ端末をインターネット接続することが有効である。第一のＩＰ端末から第二のＩＰ端末を操作する時のみ、第二のＩＰ端末をインターネット接続することにより、第二のＩＰ端末がインターネットに接続される時間を減らすことができるためである。
【００１１】
本発明は、操作先の端末のセキュリティをより強固にすることのできる接続装置等の提供を目的とする。
【課題を解決するための手段】
【００１２】
本発明の接続装置は、接続部と処理部とを備える。前記接続部は、インターネット網を介する通信により、第一端末による操作が行われることが想定された第二端末との間のＩＰに基づく情報の流通を可能にし得る。前記処理部は第三端末から送られる送付情報に従い、前記接続部の前記インターネット網への接続に係る、接続処理又は切断処理を行う。
【発明の効果】
【００１３】
本発明の接続装置等は、操作先のＩＰ端末のセキュリティをより強固にすることができる。
【図面の簡単な説明】
【００１４】
【図１】本実施形態の接続装置を適用し得るネットワーク構成を表す概念図である。
【図２】本実施形態の接続装置の構成例を表す概念図である。
【図３】接続部の構成例を表す概念図である。
【図４】本実施形態の接続装置が他の構成とともに行う、ＩＰ端末間の接続処理の処理フロー例を表す概念図である。
【図５】本実施形態の接続装置が他の構成とともに行う、ＩＰ端末間の接続の切断処理の処理フロー例を表す概念図である。
【図６】遠隔操作用電話装置が本実施形態の接続装置に送るＤＴＭＦ信号の表す内容例を表す図である。
【図７】本発明の接続装置の最小構成を表す概念図である。
【発明を実施するための形態】
【００１５】
［構成と動作］
図１は、本実施形態の接続装置を適用し得るネットワークの構成を表す概念図である。
【００１６】
図１に表すネットワーク構成は、ＩＰ端末２０４を用いて、インタネット網３０２等及び接続装置１１を介して、ＩＰ端末２０２を遠隔操作するためのものである。ここで、ＩＰはＩｎｔｅｒｎｅｔ  Ｐｒｏｔｏｃｏｌの略である。そして、図１に表すネットワーク構成は、アナログ端末２０３により電話網３０１を介して接続装置１１に音声情報を送ることにより、前記遠隔操作のためのＩＰ端末２０２のインタネット網３０２への接続を可能にするものである。さらに、図１に表すネットワーク構成は、アナログ端末２０３により電話網３０１を介して接続装置１１に音声情報を送ることにより、前記遠隔操作終了後のＩＰ端末２０２のインタネット網３０２からの切断を可能にするためのものである。
【００１７】
接続装置１１は本実施形態の接続装置の例である。接続装置１１は、例えば、接続装置１１のユーザの宅内に設置される。また、接続装置１１は、例えば、ホームゲートウェイ装置の一部である。
【００１８】
接続装置１１のアナログ端子１０７には、図１に表すようにアナログ端末２０１を接続することができる。アナログ端子１０７は、アナログ端末２０１との間でアナログ情報の受け渡しを行うための端子である。また、アナログ端末２０１は、アナログ情報の受け渡しを行う端末である。
【００１９】
アナログ端子１０７は、例えば、ＲＪ１１の標準規格に準拠した通信用コネクタである。ここで、ＲＪはＲｅｇｉｓｔｅｒｅｄ  Ｊａｃｋの略である。また、アナログ端末２０１は典型的には電話端末である。
【００２０】
また、接続装置１１のＩＰ端子１０８は、ＩＰ端子１０８ａ乃至１０８ｄの４端子を備える。そして、ＩＰ端子１０８ａ乃至１０８ｄの各々には、ＩＰ端末２０２が接続されることが想定されている。図２は、ＩＰ端子１０８ａにＩＰ端末２０２が接続された場合を表す。
【００２１】
ＩＰ端子１０８は、ＩＰ端末２０２との間で、ＩＰに基づく情報の受け渡しを行うための端子である。ＩＰ端子１０８は、例えばＲＪ４５の標準規格に準拠した通信用コネクタである。また、ＩＰ端末２０２は例えばコンピュータである。なお、図２に表すＩＰ端子１０８は、ＩＰ端子１０８ａ乃至１０８ｄの４端子を備えるが、ＩＰ端子１０８が備える端子数は任意である。
【００２２】
一方、接続装置１１のＷＡＮ接続端子１０９はＷＡＮ３０３に接続されている。ここで、「ＷＡＮ」は、Ｗｉｄｅ  Ａｒｅａ  Ｎｅｔｗｏｒｋの略である。ＷＡＮ接続端子３０３は、ＷＡＮとの間で情報の受け渡しを行うための端子である。ＷＡＮ接続端子１０９は、例えば、ＲＪ４５の標準規格に準拠した通信用コネクタである。ＷＡＮ接続端子１０９は、ＰＰＰｏＥ（Ｐｏｉｎｔ−ｔｏ−Ｐｏｉｎｔ
Ｐｒｏｔｏｃｏｌ  ｏｖｅｒ  Ｅｔｈｅｒｎｅｔ）等のプロトコルによりＢＡＳ３１１、３１２に接続される。ここで、ＢＡＳは、Ｂｒｏａｄｂａｎｄ
Ａｃｃｅｓｓ  Ｓｅｒｖｅｒの略である。
【００２３】
そして、ＷＡＮ接続端子１０９は、ＩＰ電話用のＢＡＳであるＢＡＳ３１１を介して、ＩＰｖ４（Ｉｎｔｅｒｎｅｔ  Ｐｒｏｔｏｃｏｌ  Ｖｅｒｓｉｏｎ  ４）に準拠する通信を行う電話網３０１に接続される。電話網３０１には、アナログ端末２０３が接続されている。アナログ端末２０３は、接続装置１１ａを遠隔操作するための電話装置である。電話網３０１はＳＩＰサーバ３２１を備えている。アナログ端末２０３は接続装置１１との電話信号の送受信をＳＩＰサーバ３２１を介して行う。
【００２４】
ＷＡＮ接続端子１０９は、また、インターネット用のＢＡＳであるＢＡＳ３１２を介して、ＩＰｖ４又はＩＰｖ６（Ｉｎｔｅｒｎｅｔ  Ｐｒｏｔｏｃｏｌ  Ｖｅｒｓｉｏｎ  ６）に準拠する通信を行うインターネット網３０２に接続される。インターネット網３０２には、ＩＰ端末２０４が接続されている。ＩＰ端末２０４は、ＩＰ端末２０２を遠隔操作するための端末である。ＩＰ端末２０４とＩＰ端末２０２との間は、接続装置１１により、ＩＰ接続により接続され或いは接続が切断される。以下において、「ＩＰ接続」はＩＰに基づく通信を行うための接続をいうものとする。
【００２５】
図２は、図１に表す接続装置１１の例である接続装置１１ａの構成を表す概念図である。
【００２６】
接続装置１１ａは、Ｃｏｎｆｉｇ管理部１０１と、ルータ部１０２と、接続部１０３と、ＶｏＩＰ管理部１０４とを備える。接続装置１１ａは、さらに、アナログ接続部１０５と、ＤＴＭＦ処理部１０５１と、電源１０６と、アナログ端子１０７と、ＩＰ端子１０８と、ＷＡＮ接続端子１０９とを備える。ここで、ＣｏｎｆｉｇはＣｏｎｆｉｇｕｒａｔｉｏｎの略である。また、ＤＴＭＦは、Ｄｕａｌ−Ｔｏｎｅ  Ｍｕｌｔｉ−Ｆｒｅｑｕｅｎｃｙの略である。
【００２７】
ＶｏＩＰ管理部１０４は、記録部１９１ａを備える。
【００２８】
Ｃｏｎｆｉｇ管理部１０１は、接続装置１１ａにおいて使用される設定群を一括で管理する部分である。当該設定群には、接続装置１１ａのインタネット網３０２へのインタネット接続に使用される設定群が含まれる。
【００２９】
Ｃｏｎｆｉｇ管理部１０１は、例えば、接続装置として必要となるルーティング設定を行う。接続装置として必要となるルーティング設定については、例えば、特許文献１に開示がある。
【００３０】
Ｃｏｎｆｉｇ管理部１０１は、また、例えば、インターネット用ＰＰＰｏＥ接続のための設定と、ＶｏＩＰ用ＰＰＰｏＥ接続のための設定とを行う。ＰＰＰｏＥ接続用設定については非特許文献２及び３に開示がある。
【００３１】
Ｃｏｎｆｉｇ管理部１０１は、それらに加え、図１に表すアナログ端末２０３が接続装置１１に対して行うインターネット接続に係る遠隔操作に必要な遠隔操作機能の有効設定と、アナログ端末２０３の電話番号情報と、自動応答タイマ設定とを管理する。これらの設定は、例えば、図示しないＧＵＩ（グラフィカルユーザインターフェース）やＣＬＩ（コマンドラインインターフェース）を通じてのＣｏｎｆｉｇ管理部１０１への外部からの入力により行うことができる。
【００３２】
ルータ部１０２は、接続装置１１ａが実行するＩＰ解析処理とルーティング処理とを行う。
【００３３】
より具体的には、ルータ部１０２は、ＷＡＮ接続端子１０９を介してＷＡＮから送られる信号に適用されているプロトコルの解析を行う。そして、ルータ部１０２は、ＷＡＮ側回線から送られる信号のプロトコルがＩＰであれば、当該信号を接続部１０３に振り分ける。一方、ルータ部１０２は、ＷＡＮ側回線から送られた信号がＲＦＣ．３２６１の標準に準拠するＳＩＰ（Ｓｅｓｓｉｏｎ  Ｉｎｉｔｉａｔｉｏｎ  Ｐｒｏｔｏｃｏｌ）による信号である場合は、当該信号をＶｏＩＰ管理部１０４に振り分ける。ここで、ＶｏＩＰは、Ｖｏｉｃｅ  ｏｖｅｒ  Ｉｎｔｅｒｎｅｔ  Ｐｒｏｔｏｃｏｌの略である。ルータ部１０２は、前記プロトコルの解析やルーティング処理をＣｏｎｆｉｇ管理部１０１から送られる指示情報に基づいて行う。
【００３４】
ＶｏＩＰ管理部１０４は、ルータ部１０２がＶｏＩＰ管理部１０４に振り分けた信号を処理し、ＶｏＩＰに係る接続を確立する。ＶｏＩＰ管理部１０４は、また、アナログ接続部１０５及びアナログ端子１０７を介してアナログ端末２０１との間でアナログ情報の授受を行う。ＶｏＩＰ管理部１０４は、さらに、ＤＴＭＦ信号を受信した場合には、ＤＴＭＦ信号をアナログ接続部１０５を介してＤＴＭＦ処理部１０５１に送り、ＤＴＭＦ信号に含まれるコマンドを解読させる。
【００３５】
より具体的には、ＶｏＩＰ管理部１０４は、ルータ部１０２から振り分けられる信号により以下の処理を行う。
【００３６】
ＶｏＩＰ管理部１０４は、アナログセッション接続の実現とアナログ接続部１０５と連携しての各種トーンや極性の制御を、Ｃｏｎｆｉｇ管理部１０１が送る指示情報に基づいて行う。
【００３７】
ＶｏＩＰ管理部１０４は、また、ルータ部１０２から送られた信号が音声信号を含むか否かを判定する処理（アナログ着信判定処理）を行う。ＶｏＩＰ管理部１０４は、送られた信号が音声信号を含むか否かの判定を、送られた信号がＶｏＩＰ管理部１０４の電話番号と紐付けられているか否かを判定することにより行うことができる。
【００３８】
ＶｏＩＰ管理部１０４は、ルータ部１０２から送られた信号が音声信号を含むことを判定した場合は、当該音声信号をアナログの音声信号に変換する。そして、ＶｏＩＰ管理部１０４は、変換したアナログの音声信号をアナログ接続部１０５に送る。
【００３９】
一方、ＶｏＩＰ管理部１０４は、アナログ接続部１０５からアナログの音声信号が送られた場合は、当該デジタルの音声信号に変換する。そして、ＶｏＩＰ管理部１０４は、変換後のデジタルの音声信号とＶｏＩＰ管理部１０４の電話番号情報とを組み合わせたデジタル信号を、ルータ部１０２及びＷＡＮ接続端子１０９を介して、図１に表すＷＡＮ３０３に送る。
【００４０】
ＶｏＩＰ管理部１０４は、また、送られた信号が音声信号を含む信号であることを判定した場合には、送られた信号の送付元に係る電話番号情報が、記録部１９１ａが予め保持する電話番号情報と一致するかを判定する。当該電話番号情報は、遠隔制御電話装置（図１に表すアナログ端末２０３）の電話番号情報である。
【００４１】
そして、ＶｏＩＰ管理部１０４は、電話番号情報が一致することを判定した場合には、図１に表すアナログ端末２０３による遠隔操作機能を有効に設定する。ＶｏＩＰ管理部１０４は、さらに、図１に表すＢＡＳ３１１との間でＶｏＩＰ用の接続を確立する。ＶｏＩＰ管理部１０４は、当該接続の確立を、例えば、自動応答タイマ設定に準拠したあるタイミングで行う。そして、ＶｏＩＰ管理部１０４は、遠隔制御電話装置からのＤＴＭＦ信号を含む信号の受信を一定時間待つ。当該一定時間以内に遠隔制御電話装置からのＤＴＭＦ信号を含む信号が受信された場合、ＶｏＩＰ管理部１０４は、当該ＤＴＭＦ信号を含む信号を、音声信号であるＤＴＭＦ信号に変換する。そして、当該ＤＴＭＦ信号をアナログ接続部１０５を介してＤＴＭＦ処理部１０５１に送り、当該ＤＴＭＦ信号の解析を行わせる。そして、ＶｏＩＰ管理部１０４は、ＤＴＭＦ処理部１０５１から、アナログ接続部１０５を介して、当該ＤＴＭＦ信号が所定のコマンドに合致した旨の情報を受けた場合に、接続部１０３に、インターネット用ＰＰＰｏＥ接続を行わせる。
【００４２】
アナログ接続部１０５は、アナログ端子１０７に接続されたアナログ端末２０１に対するトーン制御や音声パス接続を行う。アナログ接続部１０５は、また、アナログ端子１０７を介して、アナログ端末２０１との間で音声信号の授受を行う。
【００４３】
ＤＴＭＦ処理部１０５１は、ＶｏＩＰ管理部１０４からアナログ接続部１０５を介して送られたＤＴＭＦ信号のデコード処理や解析を行う。当該解析は、送られたＤＴＭＦ信号が所定のコマンド（詳細例を後述する）と合致するか否かの判定を含む。ＤＴＭＦ処理部１０５１は、アナログ接続部１０５を介して、ＶｏＩＰ管理部１０４に対し、解析結果を送る。
【００４４】
接続部１０３は、ルータ部１０２を介してのＶｏＩＰ管理部１０４からの指示に従い、ＷＡＮ接続端子１０９を介して、図１に表すＢＡＳ３１２との間で、インターネット用の接続処理を行う。当該接続処理は、例えば、インターネット用のＰＰＰｏＥ接続処理である。インターネット用のＰＰＰｏＥ接続処理としては、非特許文献２及び３が開示する方法を用いることができる。
【００４５】
接続部１０３は、また、ＷＡＮ接続端子１０９とＩＰ端子１０８との間の電気的な接続のオンオフを行う。接続部１０３は、例えば、図示しないドライバを備え、当該ドライバが、ＷＡＮ接続端子１０９とＩＰ端子１０８との間の電気的な接続のオンオフを行う。接続部１０３は、当該オンオフにより、図１に表すＷＡＮ３０３とＩＰ端末２０２との間の電気的な接続のオンオフを行うことができる。
【００４６】
電源１０６は、接続装置１１ａの各構成に対し動作に必要な電力を供給する。
【００４７】
図３は、図２に表す接続部１０３の例である接続部１０３ａの構成を表す概念図である。
【００４８】
接続部１０３ａは、処理部１０３１ａとスイッチ１０３２ａとを備える。
【００４９】
処理部１０３１ａは、回線９１ａを介して図２に表すルータ部１０２に接続されている。
【００５０】
スイッチ１０３２ａの端子９８ａは回線９１ｂを介して図２に表すＷＡＮ接続端子１０９に接続されている。また、スイッチ１０３２ａの端子９８ｂは回線９１ｄを介して図２に表すＩＰ端子１０８に接続されている。
【００５１】
処理部１０３１ａは、図２に表すＶｏＩＰ管理部１０４から、ルータ部１０２を介して、図１に表すＢＡＳ３１２との間のインターネット用ＰＰＰｏＥ接続処理を行う旨の指示があった場合は、当該インターネット用ＰＰＰｏＥ接続処理を行う。処理部１０３１ａは、当該インターネット用ＰＰＰｏＥ接続処理を、ルータ部１０２及びＷＡＮ接続端子１０９を介してのＢＡＳ３１２との間で行う通信により行う。そして、処理部１０３１ａとＢＡＳ３１２との間のインターネット用ＰＰＰｏＥ接続処理が完了することにより、ＷＡＮ接続端子１０９とＢＡＳ３１２との間はＩＰ接続される。
【００５２】
スイッチ１０３２ａは、ＶｏＩＰ管理部１０４からの、ルータ部１０２、回線９１ａ、処理部１０３１ａ及び回線９１ｃを介しての指示により、端子９８ａと端子９８ｂａ乃至９８ｂｄの各々との間の電気的接続及び切断を行う。当該電気的接続及び切断は、例えば、端子９８ａと端子９８ｂａ乃至９８ｂｄの各々との間に設けられた図示しない半導体スイッチにより行うことができる。なお、端子９８ｂａ乃至９８ｂｄの各々は、回線９１ｄａ乃至９１ｄｄの各々を介して、図２に表すＩＰ端子１０８ａ乃至１０８ｄの各々に接続されている。
【００５３】
なお、図３に表すスイッチ１０３２ａ内の点線は、端子９８ａと端子９８ｂａとの間が電気的に接続され、端子９８ａと端子９８ｂｂ乃至９８ｂｄとの間は接続されていないことを表す。ＶｏＩＰ管理部１０４からの指示により、端子９８ａと、端子９８ｂａ乃至９８ｂｄのうちの複数が電気的に接続される場合や、端子９８ａが、端子９８ｂａ乃至９８ｂｄのうちのいずれの端子とも接続されない場合も想定され得る。
【００５４】
スイッチ１０３２ａは、前記電気的接続及び切断に代えて、光接続に係る接続又は切断を行うものであっても構わない。
【００５５】
ＷＡＮ接続端子１０９とＢＡＳ３１２との間がＩＰ接続され、かつ、端子９８ａと端子９８ｂとの間の接続がなされた場合には、ＩＰ端子１０８とＢＡＳ３１２との間はＩＰ接続される。この場合において、図１に表すようにＩＰ端子１０８にＩＰ端末２０２が接続されている場合は、ＩＰ端末２０２とＢＡＳ３１２との間はＩＰ接続される。
【００５６】
一方、ＷＡＮ接続端子１０９とＢＡＳ３１２との間がＩＰ接続され、かつ、端子９８ａと端子９８ｂとの間の接続が切断されている場合は、ＩＰ端末２０２とＢＡＳ３１２との間はＩＰ接続されない。
【００５７】
また、ＷＡＮ接続端子１０９とＢＡＳ３１２との間がＩＰ接続さていない場合は、端子９８ａと端子９８ｂとの間が接続されているか否かに拘らず、ＩＰ端末２０２とＢＡＳ３１２との間はＩＰ接続されない。
【００５８】
以上の図２及び図３の説明においては、インターネット用ＰＰＰｏＥ接続処理をＶｏＩＰ管理部１０４からの指示により接続部１０３が行う場合を述べた。しかしながら、インターネット用ＰＰＰｏＥ接続処理をＶｏＩＰ管理部１０４が行っても構わない。その場合は、ＶｏＩＰ管理部１０４は、当該インターネット用ＰＰＰｏＥ接続処理を、ルータ部１０２及びＷＡＮ接続端子１０９を介して、図１に表すＢＡＳ３１２との間で通信を行うことにより行う。
【００５９】
図４は、図１に表す接続装置１１が図１に表す各構成とともに行う、ＩＰ端末間の接続処理の処理フロー例を表す概念図である。
【００６０】
まず、Ｓ１０１の処理として、接続装置１１は、ＢＡＳ３１１との間で、ＶｏＩＰ用ＰＰＰｏＥ接続処理を行う。ＶｏＩＰ用ＰＰＰｏＥ接続処理の処理手順としては、非特許文献２及び３が開示する方法を用いることができる。当該ＶｏＩＰ用ＰＰＰｏＥ接続処理は、接続装置１１が図２に表す接続装置１１ａの場合は、ＶｏＩＰ管理部１０４が、ルータ部１０２及びＷＡＮ接続端子１０９を介して、ＢＡＳ３１１との間で行う。そして、上記接続処理により、接続装置１１とＢＡＳ３１１との間のＶｏＩＰ用の接続が確立される。
【００６１】
次に、Ｓ１１１の処理として、ＩＰ端末２０４は、ＢＡＳ３１２との間でインターネット用ＰＰＰｏＥ接続処理を行う。インターネット用ＰＰＰｏＥ接続処理の処理手順には非特許文献２及び３が開示する方法を用いることができる。当該インターネット用ＰＰＰｏＥ接続処理により、ＩＰ端末２０４とＢＡＳ３１２との間のＩＰ接続が確立される。
【００６２】
さらに、ＩＰ端末２０２は接続装置１１との間でＩＰ接続処理を行う。当該ＩＰ接続処理は、接続装置１１が図２に表す接続装置１１ａの場合は、ＩＰ端末２０２はＩＰ端子１０８を介して接続部１０３との間で行う。これによりＩＰ端末２０２は接続装置１１との間でＩＰ接続が確立される。
【００６３】
Ｓ１０１、Ｓ１１１及びＳ１１６の処理を行う順番は、図４に表す通りでなくても構わず、これらの処理を行う順番は任意である。
【００６４】
次に、Ｓ１２１の処理として、アナログ端末２０３は、ＳＩＰサーバ３２１に向けて、接続装置１１の電話番号への電話発信を行う。
【００６５】
そして、Ｓ１２２の処理として、ＳＩＰサーバ３２１は、アナログ端末２０３により送られた電話発信に含まれる電話番号により、当該電話発信を、ＢＡＳ３１１を介して接続装置１１に向けて送る。
【００６６】
そして、接続装置１１には、アナログ端末２０３からの、ＳＩＰサーバ３２１及びＢＡＳ３１１を介する発信が着信する。接続装置１１が図２に表す接続装置１１ａの場合は、当該発信は、ＷＡＮ接続端子１０９、ルータ部１０２を通じて、ＶｏＩＰ管理部１０４に着信する。
【００６７】
そして、Ｓ１２３の処理として、接続装置１１は、ＢＡＳ３１１を介してＳＩＰサーバ３２１に向けて、アナログ端末２０３宛の自動応答の発信を行う。接続装置１１が図２に表す接続装置１１ａの場合は、当該自動応答発信は、ＶｏＩＰ管理部１０４により、ルータ部１０２及びＷＡＮ接続端子１０９を介して行われる。
【００６８】
そして、Ｓ１２４の処理として、ＳＩＰサーバ３２１は、Ｓ１２３の処理により送られた、アナログ端末２０３宛の自動応答発信を、アナログ端末２０３に向けて送る。
【００６９】
アナログ端末２０３が当該自動応答を受信することにより、アナログ端末２０３と接続装置１１との間の通話接続が完了し、アナログ端末２０３と接続装置１１との間の通話が可能な状態になる。なお、本実施形態において、「通話」は電話用の信号による通信（ＤＴＭＦ信号による通信を含む）をいうこととする。「通話」は、人と人との間で行われる通話には限定されないものする。
【００７０】
次に、Ｓ１３１の処理として、アナログ端末２０３は、ＳＩＰサーバ３２１及びＢＡＳ３１１を介して、接続装置１１とＢＡＳ３１２とのＩＰ接続を指示する旨のＤＴＭＦ信号である第一ＤＴＭＦ信号を送る。接続装置１１が図２に表す接続装置１１ａの場合は、第一ＤＴＭＦ信号はＶｏＩＰ管理部１０４により受信される。
【００７１】
そして、Ｓ１３２の処理として、接続装置１１は、受信した第一ＤＴＭＦ信号が表す、接続装置１１とＢＡＳ３１２とのＩＰ接続指示を読み取る。
【００７２】
接続装置１１が図２に表す接続装置１１ａの場合は、ＶｏＩＰ管理部１０４は受信した第一ＤＴＭＦ信号を、アナログ接続部１０５を介して、ＤＴＭＦ処理部１０５１に送る。ＤＴＭＦ処理部１０５１は、例えば、ＤＴＭＦ信号とＤＴＭＦ信号との対応を表すデータベースを、図２には表さない記録部に保持している。そして、ＤＴＭＦ処理部１０５１は、ＶｏＩＰ管理部１０４から送られた第一ＤＴＭＦ信号が表す前記ＩＰ接続指示を当該データベースを参照することにより読み取る。そして、ＤＴＭＦ処理部１０５１は、前記ＩＰ接続指示を表す情報を、アナログ接続部１０５を介して、ＶｏＩＰ管理部１０４に送る。
【００７３】
そして、Ｓ１３３の処理として、接続装置１１は、第一ＤＴＭＦ信号が表すＢＡＳ３１２との間の接続指示に従い、ＢＡＳ３１２との間のインターネット用ＰＰＰｏＥ接続処理を行う。インターネット用ＰＰＰｏＥ接続処理については上述の通りである。接続装置１１が図２に表す接続装置１１ａの場合は、インターネット用ＰＰＰｏＥ接続処理は、接続部１０３によりＷＡＮ接続端子１０９を介して行われる。当該インターネット用ＰＰＰｏＥ接続処理により、接続装置１１とＢＡＳ３１２との間のＩＰ接続が確立される。
【００７４】
ＩＰ端末２０４とＢＡＳ３１２との間のＩＰ接続は、Ｓ１１１の処理により確立されている。また、ＩＰ端末２０２と接続装置１１との間のＩＰ接続は、前述のＳ１１６の処理により既に確立されている。それらに加え、Ｓ１３３の処理により、接続装置１１とＢＡＳ３１２との間のＩＰ接続が確立されることにより、ＩＰ端末２０２とＩＰ端末２０４との間のＩＰ接続が確立された（接続完了）。
【００７５】
Ｓ１３１の処理の後、アナログ端末２０３は、Ｓ１４１乃至Ｓ１４３に表す通話切断処理を行うことができる。図４では、Ｓ１４１の処理はＳ１３３の後に行う例を表すが、アナログ端末２０３は、Ｓ１４１以降の処理を、Ｓ１３１の処理の後であればいつでも行うことができる。また、アナログ端末２０３は、Ｓ１４１乃至Ｓ１４３の処理を行わなくても構わない。
【００７６】
アナログ端末２０３は、Ｓ１４１の処理を行う場合は、同処理として、通話切断を行う。アナログ端末２０３は、当該通話切断を、例えば、外部からの通話切断情報の入力により行う。当該外部は例えば、アナログ端末２０３の使用者である。アナログ端末２０３が行った通話切断は、ＳＩＰサーバ３２１により認識される。
【００７７】
そして、Ｓ１４２の処理として、ＳＩＰサーバ３２１は、接続装置１１に対し、通話切断が行われたことを表す切断情報の送付を行う。当該切断情報は接続装置に到着する。接続装置１１が図２に表す接続装置１１ａの場合は、当該切断情報は、ＷＡＮ接続端子１０９及びルータ部１０２を介して、ＶｏＩＰ管理部１０４に到着する。
【００７８】
そして、Ｓ１４３の処理として、接続装置１１は、当該切断情報を認識し、自動切断処理を行う。接続装置１１が図２に表す接続装置１１ａの場合は、当該自動切断処理は、ＶｏＩＰ管理部１０４により行われる。当該自動切断処理は、ＢＡＳ３１１を介して、ＳＩＰサーバ３２１により認識される。当該認識により、ＩＰ端末２０４と接続装置１１との間の通話の切断が完了する。
【００７９】
図５は、図１に表す接続装置１１が図１に表す各構成とともに行う、ＩＰ端末間接続の切断処理の処理フロー例を表す概念図である。
【００８０】
Ｓ１０１、Ｓ１１１、Ｓ１１６、Ｓ１３３、Ｓ１２１乃至Ｓ１２４、及び、Ｓ１４１乃至Ｓ１４３の処理の説明は、図４に表す同じ処理番号で表す処理の説明と同じである。ただし、図４についての説明と下記説明とが矛盾する場合は、下記説明を優先する。
【００８１】
Ｓ１２１乃至Ｓ１２４に表す処理は、図４に表すＳ１２１乃至Ｓ１２４の処理が既に行われ、その後に、図４に表すＳ１４１乃至Ｓ１４３の処理が行われていない場合は、省略することができる。
【００８２】
Ｓ２０１の処理の前の段階で、Ｓ１０１、Ｓ１１１、Ｓ１１６及びＳ１３３の処理により、ＩＰ端末２０２とＩＰ端末２０４との間のＩＰ接続が確立されている。また、Ｓ２０１の処理の前の段階で、Ｓ１２１乃至Ｓ１２４の処理又は図４に表すＳ１２１乃至Ｓ１２４の処理により、アナログ端末２０３と接続装置１１との間の電話接続が完了している。
【００８３】
これらの状況において、アナログ端末２０３は、Ｓ２０１の処理として、接続装置１１に対し、ＢＡＳ３１２との間のＩＰ接続の切断を指示する内容のＤＴＭＦ信号である第二ＤＴＭＦ信号を、ＳＩＰサーバ３２１及びＢＡＳ３１１を介して送る。アナログ端末２０３は、Ｓ２０１の処理を、例えば、アナログ端末２０３の外部からの指示情報の入力により行われる。当該外部は、例えばアナログ端末２０３の使用者である。第二ＤＴＭＦ信号は、接続装置１１に到着する。接続装置１１が図２に表す接続装置１１ａの場合は、第二ＤＴＭＦ信号はＶｏＩＰ管理部１０４により受信される。
【００８４】
そして、Ｓ２０２の処理として、接続装置１１は、受信した第二ＤＴＭＦ信号が表す、接続装置１１とＢＡＳ３１２とのＩＰ接続の切断指示を読み取る。
【００８５】
接続装置１１が図２に表す接続装置１１ａの場合は、ＶｏＩＰ管理部１０４は受信した第二ＤＴＭＦ信号を、アナログ接続部１０５を介して、ＤＴＭＦ処理部１０５１に送る。ＤＴＭＦ処理部１０５１は、例えば、ＤＴＭＦ信号とＤＴＭＦ信号との対応を表すデータベースを、図２には表さない記録部に保持している。そして、ＤＴＭＦ処理部１０５１は、ＶｏＩＰ管理部１０４から送られた第二ＤＴＭＦ信号が表す前記ＩＰ接続の切断指示を当該データベースを参照することにより読み取る。そして、ＤＴＭＦ処理部１０５１は、前記ＩＰ接続切断指示を表す情報を、アナログ接続部１０５を介して、ＶｏＩＰ管理部１０４に送る。
【００８６】
次に、Ｓ２０３の処理として、接続装置１１は、第二ＤＴＭＦ信号が表すＢＡＳ３１２との間のＩＰ接続の切断指示に従い、ＢＡＳ３１２との間のインターネット用ＰＰＰｏＥ接続の切断処理を行う。インターネット用ＰＰＰｏＥ接続の切断処理の処理手順は、非特許文献２及び３に開示されている。接続装置１１が図２に表す接続装置１１ａの場合は、インターネット用ＰＰＰｏＥ接続の切断処理は、ルータ部１０２を介してのＶｏＩＰ管理部１０４からの指示により、接続部１０３がＷＡＮ接続端子１０９を介して行う。当該インターネット用ＰＰＰｏＥ接続の切断処理により、接続装置１１とＢＡＳ３１２との間のＩＰ接続が切断される。
【００８７】
なお、説明を省略したＳ１４１乃至Ｓ１４３の処理は、Ｓ２０１の処理以降であれば、いつでも行うことができる。
【００８８】
次に、図１に表すアナログ端末２０３が接続装置１１に送るＤＴＭＦ信号の例について説明する。
【００８９】
図１に表すアナログ端末２０３が接続装置１１に送るＤＴＭＦ信号及び当該ＤＴＭＦ信号の表す内容は任意に設定できるものであるが、例えば、図６に表すように設定することができる。
【００９０】
図６に表す場合は、「＊＊＊０」のＤＴＭＦ信号は、接続装置１１のインターネット用ＰＰＰｏＥ接続の指示を表す。
【００９１】
また、図６に表す場合は、「＊＊＊１」のＤＴＭＦ信号は、接続装置１１のインターネット用ＰＰＰｏＥ接続の切断の指示を表す。
【００９２】
また、図６に表す場合は、「＊ＩＰアドレスＡ」のＤＴＭＦ信号は、第一の部分を第二の部分に接続する旨の指示を表す。
【００９３】
ここで、前記第一の部分は、接続装置１１によるインターネット用ＰＰＰｏＥ接続処理により接続される経路の、接続装置１１内部における、予め定められた任意の部分である。前記第一の部分は、接続装置１１が図２に表す接続装置１１ａであり、かつ、図２に表す接続部１０３が図３に表す接続部１０３ａの場合は、スイッチ１０３２ａ内部の端子９８ａである。
【００９４】
また、第二の部分は、接続装置１１とＩＰアドレスＡのＩＰ端末２０２との間のＩＰ接続処理により接続された経路の、接続装置１１内部における、予め定められた任意の部分である。前記第二の部分は、接続装置１１が図２に表す接続装置１１ａであり、かつ、図２に表す接続部１０３が図３に表す接続部１０３ａの場合は、スイッチ１０３２ａ内部の端子９８ｂである。
【００９５】
接続装置１１が図２に表す接続装置１１ａであり、かつ、図２に表す接続部１０３が図３に表す接続部１０３ａの場合は、第一の部分である端子９８ａと第二の部分である端子９８ｂとの間の接続及び切断はスイッチ１０３２ａにより行われる。
【００９６】
以下において、インターネット用ＰＰＰｏＥ接続処理により接続された経路を、「インターネット経路」ということにする。また、以下において、ＩＰ端末２０２との接続処理により接続された経路を、「ＩＰ端末経路」ということにする。
【００９７】
また、図６に表す場合は、「＊９ＩＰアドレスＡ」のＤＴＭＦ信号は、前記第一の部分を、前記第二の部分から切断する旨の指示を表す。
【００９８】
また、図６に表す場合は、「＃」のＤＴＭＦ信号は、一続きのＤＴＭＦ信号の終了を意味する。
【００９９】
図６に表す対応によると、ＤＴＭＦ信号を受信した接続装置１１が行う動作例は、例えば以下のようになる。
【０１００】
接続装置１１は、「＊＊＊０＃」のＤＴＭＦ信号を受信した場合は、図１に表すＢＡＳ３１２との間でＰＰＰｏＥ接続処理を行い、ＰＰＰｏＥ接続を確立する。しかしながら、接続装置１１は、前記第一の部分と前記第二の部分との接続は行わない。すなわち、ＩＰ端末２０２との間のＩＰ端末経路と、確立したＰＰＰｏＥ接続に係るインターネット経路とは、前記第一の部分と前記第二の部分との間で切断されている。そのため、ＩＰ端末２０４とＩＰ端末２０２とはＩＰ接続されない。また、接続装置１１は、ＢＡＳ３１２との間で既にＰＰＰｏＥ接続が確立されている場合は、当該ＰＰＰｏＥ接続を維持する。
【０１０１】
接続装置１１が図２に表す接続装置１１ａである場合は、ＰＰＰｏＥ接続処理は、ＶｏＩＰ管理部１０４の指示により接続部１０３がＷＡＮ接続端子１０９を介して、ＢＡＳ３１２との間で行う。
【０１０２】
一方、接続装置１１は、「＊＊＊０＊ＩＰアドレスＡ＃」のＤＴＭＦ信号を受信した場合は、まず、ＢＡＳ３１２との間でインターネット用ＰＰＰｏＥ接続を確立する。そして、接続装置１１は、前記第一の部分を前記第二の部分に接続する。上記動作により、ＩＰ端末２０４は、ＩＰアドレスＡのＩＰ端末２０２とＩＰ接続される。仮に、ＩＰ端末２０２が複数ある場合は、ＩＰ端末２０４は、ＩＰアドレスＡのＩＰ端末２０２とのみＩＰ接続され、その他のＩＰアドレスのＩＰ端末２０２とはＩＰ接続されない。
【０１０３】
接続装置１１が図２に表す接続装置１１ａである場合は、ＰＰＰｏＥ接続処理は、ルータ部１０２を介してのＶｏＩＰ管理部１０４からの指示により、接続部１０３により、ＷＡＮ接続端子１０９を介して、ＢＡＳ３１２との間で行われる。また、前記第一の部分を前記第二の部分に接続する処理は、ルータ部１０２を介してのＶｏＩＰ管理部１０４からの指示により、接続部１０３により行われる。
【０１０４】
接続装置１１が図２に表す接続装置１１ａであり、かつ、図２に表す接続部１０３が図３に表す接続部１０３ａの場合は、第一の部分である端子９８ａと第二の部分である端子９８ｂとの間の接続はスイッチ１０３２ａにより行われる。
【０１０５】
接続装置１１は、「＊ＩＰアドレスＡ＃」のＤＴＭＦ信号のみを受信した場合は、前記第一の部分を前記第二の部分に接続する。接続装置１１は、ＢＡＳ３１２との間でＰＰＰｏＥ接続が確立されていない場合は、その確立されていないＰＰＰｏＥ接続に係るインターネット経路についての前記第一の部分を前記第二の部分に接続する。この場合は、以降に接続装置１１が「＊＊＊０＃」のＤＴＭＦ信号を受信した場合は、ＢＡＳ３１２との間でＰＰＰｏＥ接続の確立により、ＩＰ端末２０２とＩＰ端末２０４とがＩＰ接続される。また、接続装置１１は、既に確立されている接続に係るインターネット経路の前記第一の部分が前記第二の部分に既に接続されている場合は、前記第一の部分が前記第二の部分との間の当該接続を維持する。
【０１０６】
接続装置１１が図２に表す接続装置１１ａであり、かつ、図２に表す接続部１０３が図３に表す接続部１０３ａの場合は、第一の部分である端子９８ａと第二の部分である端子９８ｂとの間の接続はスイッチ１０３２ａにより行われる。また、同処理は、ルータ部１０２を介してのＶｏＩＰ管理部１０４からの指示により行われる。
【０１０７】
接続装置１１は、「＊＊＊１」のＤＴＭＦ信号を受信した場合は、ＢＡＳ３１２との間で確立されているインターネット用ＰＰＰｏＥ接続を切断する。接続装置１１は、ＢＡＳ３１２との間でＰＰＰｏＥ接続が確立されていない場合は、その確立されていないＰＰＰｏＥ接続を維持する。
【０１０８】
接続装置１１が図２に表す接続装置１１ａである場合は、ＰＰＰｏＥ接続の切断処理は、ルータ部１０２を介してのＶｏＩＰ管理部１０４からの指示により、接続部１０３により行われる。
【０１０９】
接続装置１１は、「＊９ＩＰアドレスＡ」のＤＴＭＦ信号を受信した場合は、前述の第一の部分と前述の第二の部分とを切断する。当該切断は、ＢＡＳ３１２との間のＰＰＰｏＥ接続が確立されているか否かに拘らず行われる。
【０１１０】
接続装置１１が図２に表す接続装置１１ａであり、かつ、図２に表す接続部１０３が図３に表す接続部１０３ａの場合は、第一の部分である端子９８ａと第二の部分である端子９８ｂとの間の切断はスイッチ１０３２ａにより行われる。同処理は、ルータ部１０２を介してのＶｏＩＰ管理部１０４からの指示により行われる。
【０１１１】
接続装置１１は、遠隔操作用電話端末であるアナログ端末２０３からＩＰ電話により送られたＤＴＭＦ信号が含む指示情報に従い、ＩＰ端末２０２のインタ−ネット網３０２への接続及び接続の切断を行う。そのため、接続装置１１は、ＩＰ端末２０４及びＩＰ端末２０２の使用者に対し、ＩＰ端末２０４とＩＰ端末２０２とのＩＰ接続を、ＩＰ端末２０４からＩＰ端末２０２の遠隔操作を行いたい時のみ、行うことを可能にする。ＩＰ端末２０２はインターネットに常時接続されている必要はない。接続装置１１は、ＩＰ端末２０２のインターネットへの接続時間の短縮を可能にすることにより、インターネットを経由してのＩＰ端末２０２への不正な情報流入の確率を抑えることができる。そのため、接続装置１１は、ＩＰ端末２０２のセキュリティをより強固にすることができる。
［効果］
本実施形態の接続装置は、遠隔操作用電話端末からＩＰ電話により送られたＤＴＭＦ信号が含む指示情報に従い、ＩＰ端末のインタ−ネット網の接続及び接続の切断を行う。そのため、本実施形態の接続装置は、遠隔操作用ＩＰ端末及び遠隔操作されるＩＰ端末の使用者に対して、両ＩＰ端末間のＩＰ接続を、遠隔操作を行いたい時のみ、行うことを可能にする。遠隔操作されるＩＰ端末はインターネットに常時接続されている必要はない。本実施形態の接続装置は、遠隔操作されるＩＰ端末のインターネットへの接続時間を短くすることにより、インターネットを経由しての遠隔操作されるＩＰ端末への不正な情報流入の確率を抑えることができる。そのため、本実施形態の接続装置は、遠隔操作されるＩＰ端末のセキュリティをより強固にすることができる。
【０１１２】
以上においては、接続装置１１がＢＡＳ３１１、３１２との間で行う通信のプロトコルがＰＰＰｏＥである例を説明した。しかしながら、接続装置１１がＷＡＮとの間で行う通信のプロトコルはＤＨＣＰ等でも構わない。ここで、ＤＨＣＰは、Ｄｙｎａｍｉｃ  Ｈｏｓｔ  Ｃｏｎｆｉｇｕｒａｔｉｏｎ  Ｐｒｏｔｏｃｏｌの略である。
【０１１３】
また、接続装置１１は、ＶｏＩＰ信号として送られたＤＴＭＦ信号が表す指示情報により、インターネット網との間のＩＰ接続に係る接続及び切断を行う場合を例に説明した。しかしながら、当該指示情報はＤＴＭＦ信号により表されなくても構わないし、ＶｏＩＰ信号として送られなくても構わない。
【０１１４】
図７は、本発明の接続装置の最小構成である接続装置１１ｘを表す概念図である。
【０１１５】
接続装置１１ｘは、接続部１０３ｘと、処理部１０４ｘとを備える。
【０１１６】
接続部１０３ｘは、図示しないインターネット網を介する通信により、図示しない第一端末による操作が行われることが想定された図示しない第二端末との間のＩＰに基づく情報の流通を可能にし得る。
【０１１７】
処理部１０４ｘは第三端末から送られる送付情報に従い、前記接続部の前記インターネット網への接続に係る、接続処理又は切断処理を行う。
【０１１８】
接続装置１１ｘは、前記第三端末から電話により送られた情報に従い、接続部１０３ｘのインタ−ネットへの接続に係る、接続処理及び接続処理を行う。そのため、接続装置１１ｘは、前記第一端末及び前記第二端末の使用者に対して、両端末間のインターネット接続を、第一端末により第二端末を操作したい時のみ行うことを可能にする。第一端末はインターネットに常時接続されている必要はない。接続装置１１ｘは、第二端末のインターネットへの接続時間を短くすることにより、インターネットを経由しての第二端末への不正情報流入の確率を抑えることができる。
【０１１９】
そのため、接続装置１１ｘは、上記構成により、［発明の効果］の項に記載した効果を奏する。
【０１２０】
以上、本発明の各実施形態を説明したが、本発明は、上記した実施形態に限定されるものではなく、本発明の基本的技術的思想を逸脱しない範囲で更なる変形、置換、調整を加えることができる。例えば、各図面に示したネットワーク構成や要素の構成は、本発明の理解を助けるための一例であり、これらの図面に示した構成に限定されるものではない。
【０１２１】
また、上記の実施形態の一部または全部は、以下の付記のようにも記述され得るが、以下には限られない。
【０１２２】
（付記Ａ１）
インターネット網を介する通信により、第一端末による操作が行われることが想定された第二端末との間のＩＰ（Ｉｎｔｅｒｎｅｔ  Ｐｒｏｔｏｃｏｌ）に基づく情報の流通を可能にし得る接続部と、
第三端末から送られた送付情報に従い、前記接続部の前記インターネット網への接続に係る、接続処理又は切断処理を行う、処理部と、
を備える接続装置。
【０１２３】
（付記Ａ２）
前記操作が遠隔操作である、付記Ａ１に記載された接続装置。
【０１２４】
（付記Ａ３）
前記接続処理又は前記切断処理が前記第三端末による遠隔操作により行われる、付記Ａ１又は付記Ａ２に記載された接続装置。
【０１２５】
（付記Ａ４）
前記送付情報が電話回線を介して送られた情報である付記Ａ１乃至付記Ａ３のうちのいずれか一に記載された接続装置。
【０１２６】
（付記Ａ５）
前記送付情報が電話網を介して送られた情報である付記Ａ１乃至付記Ａ４のうちのいずれか一に記載された接続装置。
【０１２７】
（付記Ａ６）
前記送付情報がＶｏＩＰ（Ｖｏｉｃｅ  ｏｖｅｒ  Ｉｎｔｅｒｎｅｔ  Ｐｒｏｔｏｃｏｌ）信号に含まれる情報である付記Ａ１乃至付記Ａ５のうちのいずれか一に記載された接続装置。
【０１２８】
（付記Ａ７）
前記ＶｏＩＰ信号に含まれる情報が前記ＶｏＩＰ信号に含まれるＤＴＭＦ（Ｄｕａｌ−Ｔｏｎｅ  Ｍｕｌｔｉ−Ｆｒｅｑｕｅｎｃｙ）信号に含まれる情報である、付記Ａ６に記載された接続装置。
【０１２９】
（付記Ａ８）
前記処理部が、前記第三端末から前記ＶｏＩＰ信号を送られる前に、ＷＡＮ（Ｗｉｄｅ  Ａｒｅａ  Ｎｅｔｗｏｒｋ）へのＶｏＩＰ信号に係る接続処理を行う、付記Ａ６又は付記Ａ７に記載された接続装置。
【０１３０】
（付記Ａ９）
前記ＶｏＩＰ信号に係る接続処理が、前記ＷＡＮとの間のＶｏＩＰ用ＰＰＰｏＥ接続処理である、付記Ａ８に記載された接続装置。
【０１３１】
（付記Ａ１０）
前記ＶｏＩＰ用ＰＰＰｏＥ接続処理が、ＶｏＩＰ用ＢＡＳ（Ｂｒｏａｄｂａｎｄ  Ａｃｃｅｓｓ  Ｓｅｒｖｅｒ）との間で行われる、付記Ａ９に記載された接続装置。
【０１３２】
（付記Ａ１１）
前記第三端末が前記ＷＡＮの電話網に接続され得、前記第三端末が前記ＷＡＮのインターネット網に接続され得る、付記Ａ８乃至付記Ａ１０のうちのいずれか一に記載された接続装置。
【０１３３】
（付記Ａ１２）
送られた信号を、前記ＶｏＩＰ信号と他の信号とに分配するルータ部をさらに備える付記Ａ６乃至付記Ａ１１のうちのいずれか一（付記Ａ６引用部分に限る。）に記載された接続装置。
【０１３４】
（付記Ａ１３）
前記ルータが分配した前記ＶｏＩＰ信号が前記処理部に送られる、付記Ａ１２に記載された接続装置。
【０１３５】
（付記Ａ１４）
前記接続部の前記インターネット網への接続が、前記接続部とインターネット用ＢＡＳ（Ｂｒｏａｄｂａｎｄ  Ａｃｃｅｓｓ  Ｓｅｒｖｅｒ）との間の接続である、付記Ａ１乃至付記Ａ１３のうちのいずれか一に記載された接続装置。
【０１３６】
（付記Ａ１５）
前記接続部の前記インターネット網への接続が、ＰＰＰｏＥ（Ｐｏｉｎｔ−ｔｏ−Ｐｏｉｎｔ  Ｐｒｏｔｏｃｏｌ  ｏｖｅｒ  Ｅｔｈｅｒｎｅｔ）接続である、付記Ａ１乃至付記Ａ１４のうちのいずれか一に記載された接続装置。
【０１３７】
（付記Ａ１６）
前記ＰＰＰｏＥ接続が、Ｎｅｔｗｏｒｋ  Ｗｏｒｋｉｎｇ  Ｇｒｏｕｐ  Ｒｅｑｕｅｓｔ  ｆｏｒ  Ｃｏｍｍｅｎｔｓ：  ２５１６に記載されたＰＰＰｏＥ接続である、付記Ａ１５に記載された接続装置。
【０１３８】
（付記Ａ１７）
アナログ端末との間のアナログ信号に係る接続を行い得るアナログ接続部をさらに備える、付記Ａ１乃至付記Ａ１６のうちのいずれか一に記載された接続装置。
【０１３９】
（付記Ａ１８）
前記インターネット網への接続に係る接続処理又はＶｏＩＰ信号に係る接続処理に使用される設定群を管理するＣｏｎｆｉｇｕｒａｔｉｏｎ管理部をさらに備える、付記Ａ８乃至付記Ａ１７のうちのいずれか一（付記Ａ８引用部分に限る）に記載された接続装置。
【０１４０】
（付記Ａ１９）
ホームゲートウェイ装置に備えられる、付記Ａ１乃至付記Ａ１８のうちのいずれか一に記載された接続装置。
【０１４１】
（付記Ｂ１）
付記Ａ１乃至付記Ａ１９のうちのいずれか一に記載された接続装置と前記第三端末とを備える、接続システム。
【０１４２】
（付記Ｃ１）
インターネット網を介する通信により、第一端末による操作が行われることが想定された第二端末との間のＩＰ（Ｉｎｔｅｒｎｅｔ  Ｐｒｏｔｏｃｏｌ）に基づく情報の流通を可能にし得る部分の、前記インターネット網への接続に係る、接続処理又は切断処理を、第三端末から送られた送付情報に従い行う、接続方法。
【０１４３】
（付記Ｄ１）
インターネット網を介する通信により、第一端末による操作が行われることが想定された第二端末との間のＩＰ（Ｉｎｔｅｒｎｅｔ  Ｐｒｏｔｏｃｏｌ）に基づく情報の流通を可能にし得る部分の、前記インターネット網への接続に係る、接続処理又は切断処理を、第三端末から送られた送付情報に従い、コンピュータに実行させる接続プログラム。
【符号の説明】
【０１４４】
１１、１１ａ、１１ｘ    接続装置
１０１    Ｃｏｎｆｉｇ管理部
１０２    ルータ部
１０３、１０３ｘ    接続部
１０４    ＶｏＩＰ管理部
１０４ｘ    処理部
１０５    アナログ接続部
１０５１    ＤＴＭＦ処理部
１０６    電源
１０７    アナログ端子
１０８    ＩＰ端子
１０９    ＷＡＮ接続端子
１９１    記録部
２０１、２０３    アナログ端末
２０２、２０４    ＩＰ端末
３０１    電話網
３０２    インターネット網
３０３    ＷＡＮ
３１１、３１２    ＢＡＳ
３２１    ＳＩＰサーバ
【図１】
2018014548.tif 000003
【図２】
2018014548.tif 000004
【図３】
2018014548.tif 000005
【図４】
2018014548.tif 000006
【図５】
2018014548.tif 000007
【図６】
2018014548.tif 000008
【図７】
2018014548.tif 000009